(57)【要約】      （修正有）【課題】車内等において安全且つ容易にゴミの収納を可能にするシガーソケット挿入型簡易ゴミフレームを提供する。【解決手段】自動車内のシガーソケットに挿入して使用するゴミフレームで、プラグとプラグから伸びる袋支持部からなり、プラグをシガーソケットに挿入し袋支持部にビニール製その他材質のゴミ袋を巻き付け使用環境に応じて変形させて使用する。【選択図】図１
0003177526.tif 000002
【実用新案登録請求の範囲】
【請求項１】
自動車内のシガーソケットに挿入して使用するシガーソケット挿入型簡易ゴミフレームであって、袋支持部と該袋支持部を支持するとともにシガーソケットに着脱自在に挿入されるプラグとからなり、前記袋支持部が前記プラグから伸びて使用環境に応じて変形させて、ビニール製その他材質のゴミ袋を巻き付けて使用する物である事を特徴とするシガーソケット挿入型簡易ゴミフレーム。
【請求項２】
前記袋支持部が上部袋支持部と下部袋支持部の２本からなり、前記プラグから伸びる前記２本の袋支持部は使用環境に応じて変形させビニール製その他材質のゴミ袋を上部袋支持部と下部袋支持部の２本からなる袋支持部に巻き付ける様に挟み込んで使用する事を特徴とする請求項１記載のシガーソケット挿入型簡易ゴミフレーム。
【考案の詳細な説明】
【技術分野】
【０００１】  本考案はシガーソケットに挿入し使用する車載用ゴミフレームに関するものである。
【背景技術】
【０００２】  車内において飲食が行われた場合、ゴミが床やコンソールボックスなどに置かれ車内が散乱する傾向にあった。また器具による固定方法もあるが、穴あけ加工が必要なので簡単に設置する事は出来なかった。（例えば特許文献１）
【先行技術文献】
【特許文献】
【０００３】
【特許文献１】  実開昭４８−０１０１３１
【考案の概要】
【考案が解決しようとする課題】
【０００４】  従来の車載用ゴミ箱は運転者の床付近に置く場合、運転中にゴミ箱が転倒する等、危険が伴う事があった。又、シフトレバーにゴミ袋などを掛けるとレバー操作を阻害する危険性があった。【０００５】上記課題につき、シガーソケットに挿入する形でシガーソケット挿入型簡易ゴミフレームを設置することで安全にゴミをゴミフレームに収納する事を可能とした。且つゴミを収納後にビニール製その他材質のゴミ袋をゴミ集積所に容易に廃棄する事を可能とした。これによって前述の欠点を解決ができるものである。
【課題を解決するための手段】
【０００６】  本考案は上記の問題点を解決するために、自動車内のシガーソケットに挿入して使用するシガーソケット挿入型簡易ゴミフレームであって、袋支持部と該袋支持部を支持するとともにシガーソケットに着脱自在に挿入されるプラグとからなり、前記袋支持部が前記プラグから伸びて使用環境に応じて変形させて、ビニール製その他材質のゴミ袋を巻き付けて使用する物である事を特徴とするシガーソケット挿入型簡易ゴミフレームである。【０００７】  上記シガーソケット挿入型簡易ゴミフレームを自動車内に設置することによって、自動車内の床やシフトレバーにゴミ箱を設置する事が無くなる為車内が片付く。【０００８】  また課題の問題を解決させるためシガーソケット挿入型簡易ゴミフレームの袋支持部が上部袋支持部と下部袋支持部の２本からなり、前記プラグから伸びる前記２本の袋支持部は使用環境に応じて変形させ、ビニール製その他材質のゴミ袋を上部袋支持部と下部袋支持部の２本からなる袋支持部に巻き付ける様に挟み込んで使用する事を特徴とする請求項１記載のシガーソケット挿入型簡易ゴミフレームである。【０００９】  前記袋支持部の様に２本にする事によってビニール製その他材質のゴミ袋が上部袋支持部と下部袋支持部に巻き付けるように挟み込まれるためより強固に固定され、ゴミを入れても落下しにくくなる。
【考案の効果】
【００１０】  上述の様に、本考案のシガーソケット挿入型簡易ゴミフレームはゴミを収納できる効果、床やシフトレバーなどにゴミ袋を掛けないため、運転中の安定性・安全性を確保でき車内のゴミ散乱を防止する効果がある。
【図面の簡単な説明】
【００１１】
【図１】  シガーソケット挿入型簡易ゴミフレーム  外観図
【図２】  第２の実施形態のシガーソケット挿入型簡易ゴミフレーム  外観図
【図３】  シガーソケット挿入型簡易ゴミフレームをシガーソケットに挿入する図
【図４】  図２の袋支持部にゴミ袋を取り付けた場合の断面図
【考案を実施するための形態】
【００１２】  図１〜図４を用いて説明する。図１に示すようにプラグ２は自動車シガーソケットに挿入できるように各自動車のシガーソケットサイズの対応させた太さとする。プラグ２はシガーソケット１に挿入させやすいように、シガーソケット１内部の奥行よりプラグ２は長いものとし、手で保持できるようにする。プラグ２の断面形状は円形もしくは多角形状の形状を持つ。
【００１３】  図１のプラグ２から伸びる袋支持部３は例えばプラスティック等で被覆をした鋼製素材を用いた構造とし、プラグ２と袋支持部３の接続方法は一体成型又はネジ止め、差し込み式等とする。袋支持部３の基本形として円形又は多角形状とし、使用環境に応じて使用者が袋支持部３を変形させて使用する。例えば灰皿などが近くにある場合などに当たらない様変形させる。
【００１４】  図２のプラグ２から伸びる袋支持部３は上部袋支持部３ａと下部袋支持部３ｂから形成される。袋支持部３は例えばプラスティック等で被覆をした鋼製素材を用い前記形状鋼製素材を上下に重ねた構造とする。プラグ２と袋支持部３、上部袋支持部３ａ、下部袋支持部３ｂの接続方法は一体成型又はネジ止め、差し込み式等とする。袋支持部３の基本形として円形又は多角形状とし、使用環境に応じて使用者が袋支持部３を変形させて使用する。上記と同様に例えば灰皿などが近くにある場合などに当たらない様変形させる。
【００１５】  シガーソケット挿入型簡易ゴミフレーム５は、プラグ２とプラグ２から伸びる上部袋支持部３ａと下部袋支持部３ｂからなる袋支持部３は一体成型又はネジ止め、差し込み式等とする。
【００１６】  図１のシガーソケット挿入型簡易ゴミフレーム５の使用方法としては袋支持部３にビニール製その他材質のゴミ袋４をそのゴミ袋の上部開口部を上として袋支持部３に入れ外側に向けて巻き付ける様にして使用する。またシガーソケット挿入型簡易ゴミフレーム５が不要な時は取り外す。
【００１７】  図２の第２の実施形態のシガーソケット挿入型簡易ゴミフレーム５の使用方法として図３・図４に示すようシガーソケット１にシガーソケット挿入型簡易ゴミフレーム５を挿入し袋支持部３にビニール製その他材質のゴミ袋４を図３の様に袋支持部３に上部開口部を上として袋支持部３内に入れビニール製その他材質のゴミ袋４の開口部を内側から外側に向け上部袋支持部３ａに巻き付け下部袋支持部３ｂの内側に挟み込む様に設置する。シガーソケット挿入型簡易ゴミフレーム５の設置方法は袋支持部３を車内等の室内環境に合わせて変形させて使用する。例えば灰皿などが近くにある場合などに当たらない様変形させる。またシガーソケット挿入型簡易ゴミフレーム５が不要な時はシガーソケット１からプラグ２を引き抜いて取り外す。
【符号の説明】
【００１８】１    シガーソケット
２    プラグ
３    袋支持部
３ａ  上部袋支持部
３ｂ  下部袋支持部
４    ビニール製その他材質のゴミ袋
５    シガーソケット挿入型簡易ゴミフレーム
【図１】
0003177526.tif 000003
【図２】
0003177526.tif 000004
【図３】
0003177526.tif 000005
【図４】
0003177526.tif 000006